(57)【要約】【課題】電源を用いることなく、混合水温度が所定温度以上であることを視認することができる湯水混合弁装置と、この湯水混合弁装置を備えた温水洗浄装置を提供する。【解決手段】湯水混合弁装置４には、内部の弁体６２の位置を視認するための透視部４ａが設けられている。ミキシングゾーン６２ｍ内の混合水の温度が設定温度以上となっているときには、透視部４ａに弁体６２のみが視認される。ミキシングゾーン６２ｍ内の混合水の温度が設定温度よりも低いときには、弁体６２が透視部４ａから退避し、該弁体６２の側面に設けられた開口Ｌ３が該透視部４ａに露呈する。【選択図】図５
2009092117.tif 000002
【特許請求の範囲】
【請求項１】
湯の流入口、水の流入口及び混合水の流出口を有するケーシング内に弁体及び感温部材が配置されており、
該感温部材は混合水と接触するように配置され、混合水の水温に応じて伸縮して前記弁体を移動させて湯水の混合割合を変化させる湯水混合弁装置において、
前記ケーシングに前記弁体の位置を視認するための透視部を設けたことを特徴とする湯水混合弁装置。
【請求項２】
請求項１において、混合水の水温が所定温度よりも高くなると、前記弁体が該透視部に露呈するか又は該透視部から退避し、混合水の水温が該所定温度よりも低くなると、該弁体が該透視部から退避するか又は該透視部に露呈するように該透視部が配置されていることを特徴とする湯水混合弁装置。
【請求項３】
請求項１において、前記弁体に高温表示部が設けられており、混合水の水温が所定温度よりも高くなると、該高温表示部が該透視部に露呈し、混合水の水温が該所定温度よりも低くなると、該高温表示部が該透視部から退避するように該高温表示部及び透視部が配置されていることを特徴とする湯水混合弁装置。
【請求項４】
請求項３において、該高温表示部は、該弁体の外面に設けられた暖色面であることを特徴とする湯水混合弁装置。
【請求項５】
請求項１において、前記弁体に低温表示部が設けられており、混合水の水温が所定温度よりも低くなると、該低温表示部が該透視部に露呈し、混合水の水温が該所定温度よりも高くなると、該低温表示部が該透視部から退避するように該低温表示部及び透視部が配置されていることを特徴とする湯水混合弁装置。
【請求項６】
請求項５において、該低温表示部は、該弁体の外面に設けられた寒色面であることを特徴とする湯水混合弁装置。
【請求項７】
請求項１ないし６のいずれか１項に記載の湯水混合弁装置と、
該湯水混合弁装置からの水を洗浄ノズルに導く主流路と、
該主流路から分岐した捨て水流路と、
該温水源からの水を捨て水するための捨て水弁装置と
を備えたことを特徴とする温水洗浄装置。
【発明の詳細な説明】
【技術分野】
【０００１】
本発明は、湯水混合弁装置に係り、特に混合水の温度が所定温度以上になったことを視認することができるよう構成された湯水混合弁装置に関する。また、本発明は、便器に設置され、人体臀部を洗浄するための温水洗浄装置に係り、特にかかる湯水混合弁装置を備えた温水洗浄装置に関する。
【背景技術】
【０００２】
便器に設けられた温水洗浄装置は、温水源からの温水を洗浄ノズル先端から噴出させて人体臀部を洗浄するよう構成されている。この洗浄ノズルに供給される水の温度が低いときには、この水を便器等に捨て、所定温度の水（湯）を洗浄ノズルに導くようにした捨て水機構を設けることがある。特開２００５−３２０６９４には、人体が便座に着座すると、捨て水用電磁弁を開とし、サーモスタットミキシングバルブから混合水を便器へ排出することが記載されている。また、この混合水の水温を温度センサで検知し、水温が定常温度にまで上昇してきた場合には捨て水用電磁弁を閉とすること、この捨て水動作中には捨て水動作を表示灯の点滅によって表示すること、捨て水動作終了後はこの点滅を停止することがそれぞれ記載されている。
【０００３】
なお、同号公報には、捨て水用電磁弁の上流側に形状記憶合金製バネによって流路を絞る開度可変管路を設け、混合水の温度が上昇してきたときには捨て水流量を減少させることが記載されているが、この形状記憶合金バネは捨て水の動作切替を行うものではない。
【特許文献１】特開２００５−３２０６９４
【発明の開示】
【発明が解決しようとする課題】
【０００４】
上記特開２００５−３２０６９４では、サーモスタットミキシングバルブからの混合水の温度を温度センサで検出し、この検出温度に応じて捨て水電磁弁を開閉させるようにしている。
【０００５】
かかる構成の温水洗浄装置は、電気制御方式であるため、電源が必須である。
【０００６】
なお、管の外面に感温テープを貼り、該管内を流れる水の温度を感温テープの色変化によって表示することがあるが、管内の水の温度が管を介して感温テープに伝わるまで時間がかかると共に、感温テープは動作の俊敏性に劣る。
【０００７】
本発明は、電源を用いることなく、混合水温度が所定温度以上であることを視認することができる湯水混合弁装置と、この湯水混合弁装置を備えた温水洗浄装置を提供することを目的とする。
【課題を解決するための手段】
【０００８】
請求項１の湯水混合弁装置は、湯の流入口、水の流入口及び混合水の流出口を有するケーシング内に弁体及び感温部材が配置されており、該感温部材は混合水と接触するように配置され、混合水の水温に応じて伸縮して前記弁体を移動させて湯水の混合割合を変化させる湯水混合弁装置において、前記ケーシングに前記弁体の位置を視認するための透視部を設けたことを特徴とするものである。
【０００９】
請求項２の湯水混合弁装置は、請求項１において、混合水の水温が所定温度よりも高くなると、前記弁体が該透視部に露呈するか又は該透視部から退避し、混合水の水温が該所定温度よりも低くなると、該弁体が該透視部から退避するか又は該透視部に露呈するように該透視部が配置されていることを特徴とするものである。
【００１０】
請求項３の湯水混合弁装置は、請求項１において、前記弁体に高温表示部が設けられており、混合水の水温が所定温度よりも高くなると、該高温表示部が該透視部に露呈し、混合水の水温が該所定温度よりも低くなると、該高温表示部が該透視部から退避するように該高温表示部及び透視部が配置されていることを特徴とするものである。
【００１１】
請求項４の湯水混合弁装置は、請求項３において、該高温表示部は、該弁体の外面に設けられた暖色面であることを特徴とするものである。
【００１２】
請求項５の湯水混合弁装置は、請求項１において、前記弁体に低温表示部が設けられており、混合水の水温が所定温度よりも低くなると、該低温表示部が該透視部に露呈し、混合水の水温が該所定温度よりも高くなると、該低温表示部が該透視部から退避するように該低温表示部及び透視部が配置されていることを特徴とするものである。
【００１３】
請求項６の湯水混合弁装置は、請求項５において、該低温表示部は、該弁体の外面に設けられた寒色面であることを特徴とするものである。
【００１４】
請求項７の温水洗浄装置は、請求項１ないし６のいずれか１項に記載の湯水混合弁装置と、該湯水混合弁装置からの水を洗浄ノズルに導く主流路と、該主流路から分岐した捨て水流路と、該温水源からの水を捨て水するための捨て水弁装置とを備えたことを特徴とするものである。
【発明の効果】
【００１５】
請求項１〜４の湯水混合弁装置によると、従来の一般的な湯水混合弁装置と同じく、混合水の温度が低いときには、湯の流入量を増加させるように弁体が位置し、混合水の温度が上昇してくると、水の流入量を増加させるように弁体が移動する。弁体は、感温部材の伸縮によって上記のように移動する。感温部材としては、一般的な湯水混合弁装置と同じく、感温伸縮体又は形状記憶バネ等が用いられる。
【００１６】
請求項１の湯水混合弁装置においては、弁体の位置を透視部を透して視認することができ、これにより現状での混合水の温度を認識することができる。即ち、水の流入量を少なくする方に弁体が位置していることが視認されるならば、混合水の温度は比較的低いことになり、湯の流入量を少なくする方に弁体が移動したことが視認されるならば、混合水の温度が上昇したことになる。
【００１７】
このように、本発明の湯水混合弁装置によると、電気回路によることなく、混合水温度を知得することが可能である。
【００１８】
なお、通常は、湯水混合弁装置の弁体は、ケーシングの内面に沿って移動するよう構成されている。
【００１９】
そこで、請求項２の通り、混合水の温度が所定温度よりも高くなったときには弁体が透視部に露呈し、混合水温度が所定温度よりも低くなったときには弁体が透視部から退避するように構成することにより、弁体が見える場合には混合水温度が高いこと、及び、弁体が見えないときには混合水温度が低いことが認識可能となる。
【００２０】
この場合、逆に、混合水温度が所定温度よりも高いときには弁体が透視部から退避し、所定温度よりも低いときには弁体が透視部に露呈するよう構成してもよい。この場合、弁体が見えるときには混合水温度が低いことになり、弁体が見えないときには混合水温度が高いことになる。
【００２１】
請求項３の湯水混合弁装置では、弁体に設けられた高温表示部が透視部に露呈するか透視部から退避するかによって、混合水温度が所定温度よりも高いか低いかを知ることができる。この高温表示部としては、弁体の外面に設けた赤色などの暖色面が好適である（請求項４）。
【００２２】
請求項５の湯水混合弁装置では、弁体に設けられた低温表示部が透視部に露呈するか透視部から退避するかによって、混合水温度が所定温度よりも低いか高いかを知ることができる。この低温表示部としては、弁体の外面に設けた青色などの寒色面が好適である（請求項６）。
【００２３】
本発明の温水洗浄装置にあっては、上記の湯水混合弁装置を備えているため、透視部からの視認状況に基づいて、湯水混合弁装置からの水の温度が高くなったことが使用者に知覚可能となる。
【発明を実施するための最良の形態】
【００２４】
以下、図面を参照して実施の形態について説明する。
【００２５】
第１図は実施の形態に係る湯水混合弁装置を備えた温水洗浄装置の系統図、第２図はダイヤフラム弁の断面図、第３図及び第４図は捨て水弁装置の断面図、第５図〜第７図は湯水混合弁装置の断面図、第８図はこの温水洗浄装置を備えた洋風便器の斜視図である。なお、第５図は混合水の温度が設定温度以上となっている状態における湯水混合弁装置の全体断面図、第６図はこの湯水混合弁装置の温度設定部の断面図、第７図は混合水の温度が設定温度よりも低い状態における湯水混合弁装置の全体断面図である。
【００２６】
第８図に示す通り、この実施の形態では、洋風便器Ｙの後部上面に便座ボックスＢが設置され、この便座ボックスＢの前面に、便座Ｚ及び便蓋Ｆが起倒方向（上下方向）回動自在に取り付けられている。この便座ボックスＢ内に、便器使用者の臀部を温水で洗浄するための温水洗浄ノズル１０を備えた温水洗浄装置が設置されている。なお、便座ボックスＢ内には、この温水洗浄装置と共に、脱臭ファンや暖房装置などの各種トイレ機器（図示略）が設置されてもよい。
【００２７】
この実施の形態では、洋風便器Ｙは、ホテルなど、温水配管が壁などに引き回されたトイレルームに設置されている。温水がこの温水配管から供給されるため、この洋風便器Ｙの温水洗浄装置にはヒータ付き温水タンクは設けられていない。ただし、本発明はヒータ付き温水タンクを有する温水洗浄装置にも適用可能である。
【００２８】
トイレルームの壁などに設けられた給湯止水栓及び給水止水栓にそれぞれ給湯配管１と給水配管２が連結されており、給湯配管１から温水（湯）が逆止弁３を介してサーモスタット湯水混合弁装置（以下、単に湯水混合弁装置と略すことがある。）４に導入可能とされ、給水配管２から常温の水が該湯水混合弁装置４に導入可能とされている。この実施の形態では、該湯水混合弁装置４は、便座ボックスＢの袖部（側方張出部）Ｓ内に設けられている。
【００２９】
この湯水混合弁装置４には、内部の弁体６２の位置を視認するための透視部４ａが設けられている。この湯水混合弁装置４の構成については後に詳述する。この透視部４ａは、便座ボックスＢの袖部Ｓの上面に設けられた操作パネルＰに露出しており、便座Ｚに座った便器使用者によって上方から視認しうるようになっている。
【００３０】
湯水混合弁装置４で湯と水とが混合された混合水は、配管５、減圧弁付き高温遮断弁６、配管７、洗浄強さ調節用のつまみ８ａを有した流量調節弁８、配管９を介して洗浄ノズル１０へ導入可能とされている。この洗浄ノズル１０は、導入された温水をノズル１０ａの先端から人体臀部に向けて斜め上方へ噴出させるよう構成されている。
【００３１】
配管７からは捨て水用の配管１１が分岐している。この配管１１はダイヤフラム弁２０の流入口２１に接続されている。ダイヤフラム弁２０の流出口２２には、捨て水用配管１２が接続され、冷水を便鉢へ排出するように引き回されている。ダイヤフラム弁２０の背圧室出口２３には、背圧室２４からの水を前記配管１２に導くように配管１３、捨て水弁装置３０、配管１４がこの順に接続されている。
【００３２】
第２図に示す通り、ダイヤフラム弁２０内には、流入口２１と流出口２２とを隔てるように円筒形の弁座２５が立設されると共に、この弁座２５に上方から着座するようにダイヤフラム弁体２６が設置されている。ダイヤフラム弁体２６によってダイヤフラム弁２０内が主流路２７と背圧室２４とに区画されている。弁体２６には、主流路２７と背圧室２４とを連通する小孔２６ａが設けられている。背圧室２４内には、弁体２６を弁座２５へ着座する方向に付勢する背圧バネ２８が配置されている。
【００３３】
第３，４図に示す通り、捨て水弁装置３０は、略円筒状であり、筒軸心方向を上下方向とした弁箱３１と、該弁箱３１内に上下方向移動可能に配置された弁体３４と、該弁体３４の下側に配置された、形状記憶材料製のバネ３５等を有している。
【００３４】
この弁箱３１内は、下部が上部よりも内径が大きい大径部３１ａとされ、上部が下部よりも内径が小さい小径部３１ｂとされている。この大径部３１ａに流入口３２が設けられ、小径部３１ｂに流出口３３が設けられている。該流入口３２にダイヤフラム弁２０からの配管１３が接続されている。また、流出口３３に、前記捨て水用配管１２に合流する配管１４が接続されている。
【００３５】
弁体３４は、外径が該小径部３１ｂの内径と略同等となっている。第４図のように、この弁体３４が大径部３１ａ内に位置しているときには、該弁体３４の外周面と大径部３１ａの内周面との間の隙間を通って流入口３２から流出口３３へ水が流通可能であり、捨て水弁装置３０が開弁状態となる。また、第３図のように、この弁体３４が小径部３１ｂ内に係合すると、該流入口３２から流出口３３への水の流通が遮断され、捨て水弁装置３０が閉弁状態となる。符号３４ａは、この弁体３４の外周面と小径部３１ｂの内周面との間をシールするパッキンを示している。
【００３６】
この弁体３４の下面と弁箱３１の底面３１ｃとの間に前記バネ３５が配置されている。このバネ３５は弁箱３１内に露呈しており、前記流入口３２から弁箱３１内に流入した水がこのバネ３５に直に接する。
【００３７】
このバネ３５は、該バネ３５と接する水の温度が前記形状記憶材料の変態温度よりも低い場合には縮短（上下方向に縮んで短くなること）状態となり、この水の温度が該形状記憶材料の変態温度よりも高い場合には伸長（上下方向に伸びて長くなること）状態となる。弁体３４は、このバネ３５が縮短状態にあるときには該バネ３５によって引き下げられて大径部３１ａ内に位置し、このバネ３５が伸長状態にあるときには該バネ３５によって押し上げられて小径部３１ｂ内に係合する。
【００３８】
このバネ３５の形状記憶材料としては、変態温度が３３〜３７℃程度の形状記憶合金が好適である。
【００３９】
弁体３４の上側には軸体３６が設けられている。この軸体３６は、軸心方向を上下方向として配置され、下端が該弁体３４に連なり、上端が弁箱３１の上面開口３１ｄから上方即ち弁箱３１外へ突出している。符号３６ａは、この軸体３６の外周面と弁箱３１の上面開口３１ｄの内周面との間をシールしたパッキンを示している。この軸体３６は、弁体３４と一体的に上下動する。この軸体３６の軸心方向の長さは、弁体３４が下降限まで下降しても、その上端側が弁箱３１から上方に突出しうる寸法となっている。
【００４０】
該軸体３６の上端には、捨て水操作時に操作者によって押される押釦３７が連なっている。
【００４１】
この捨て水弁装置３０は、前記便座ボックスＢの袖部Ｓ内に設置されている。軸体３６は、該袖部Ｓの上面の操作パネルＰから上方に突出しており、便座Ｚに座った便器使用者が手で押釦３７を押して弁体３４を押し下げることができるようになっている。
【００４２】
この実施の形態では、前記サーモスタット湯水混合弁装置４は、感温部材としてワックスサーモを用いたタイプのものとなっている。以下に、第５〜７図を参照してこの湯水混合弁装置４の構成について説明する。
【００４３】
第５，７図に示すように、この湯水混合弁装置４は、水温の温度設定を行なうための温度設定部Ｏ１と、水と湯とを混合して、この温度設定部Ｏ１で設定された温度の混合水とする温度制御部Ｏ２とを備えている。
【００４４】
該湯水混合弁装置４は、略筒状のケーシング４１を有している。前記透視部４ａは、このケーシング４１の側面に設けられている。第５〜７図においては、該ケーシング４１は、その軸心線方向を図の左右方向として図示されている。
【００４５】
温度設定部Ｏ１は、このケーシング４１の軸心線方向の一端側（第５，７図における右端側）から該ケーシング４１内に内嵌した温調ケース５４と、該温調ケース５４内に、該軸心線方向に進退可能に収容された温調スプール５５と、該温調スプール５５を進退させる温調スピンドル５３等を備えている。
【００４６】
温調スピンドル５３は、ケーシング４１と同軸状に延在しており、その先端側が温調ケース５４内に配置され、後端側は該ケーシング４１の前記一端側から該ケーシング４１外へ突出している。この温調スピンドル５３は、温調ケース５４に対し、その軸心線周りに回転可能に支持されている。第６図に示すように、この温調スピンドル５３の先端側の外周面には雄螺子５３Ａが周設されており、この雄螺子５３Ａが、温調スプール５５の後端側の内周面に周設された雌螺子５５Ａに螺合している。
【００４７】
この温調スピンドル５３を回転させることにより、温調スプール５５が該温調スピンドル５３に沿ってケーシング４１の軸心線方向に螺進する。なお、温調スプール５５の外周面及び温調ケース５４の内周面は六角形断面形状となっており、これにより、該温調スプール５５は、温調スピンドル５３と共回りすることなく、該軸心線方向に進退しうるようになっている。
【００４８】
この温調スピンドル５３の後端側には、止めネジ５２により温調ダイヤル５１が固定されている。この実施の形態では、第８図に示すように、該温調ダイヤル５１は、前記操作パネルＰに露出しており、便座Ｚに座った便器使用者が上方から手や指で該温調ダイヤル５１を回転させて温度設定を行うことができるようになっている。
【００４９】
第６図に示される通り、温調スプール５５の先端面の開口５５ａを通って該温調スプール５５内に筒状のホルダ５６が挿入されている。温調スピンドル５３の先端面からは円形の凹穴５３ａが穿設されており、ホルダ５６の挿入方向先端側はこの凹穴５３ａ内に入り込んでいる。このホルダ５６の挿入方向後端側の外周面からは鍔部５６ａが突設されており、この鍔部５６ａが温調スプール５５の開口５５ａの周縁に係止されている。
【００５０】
第６図のように、該ホルダ５６内に鍔付カップ形状のストッパカップ５７とリリーフスプリング５８とが設けられている。リリーフスプリング５８の一端は、該ホルダ５６の前記挿入方向先端側の内周面に挿着されたＥリング５８Ｅに当接している。また、リリーフスプリング５８の他端は、該ストッパカップ５８の鍔部５７ａに当接しており、これにより、該ストッパカップ５７がホルダ５６の前記挿入方向後端側のエンドプレート部５６ｂに押し付けられている。
【００５１】
このエンドプレート部５６ｂの中央の開口５６ｃに、後述する感温伸縮体６３の細軸６３ｃの先端部６３ａが挿入されている。この先端部６３ａは、ストッパカップ５７の最奥部に当接している。なお、該細軸６３ｃは、ガイド部材５９によってケーシング４１に対し該ケーシング４１の軸心線方向に移動可能に保持されている。
【００５２】
ケーシング４１の軸心線方向の他端側（第５，７図の左端側）は、エンドプラグ６０によって封止されている。
【００５３】
温度制御部Ｏ２は、ケーシング４１内の前記温度制御部Ｏ１よりも該他端側に、該ケーシング４１の軸心線方向に移動可能に収容された筒状の弁体６２と、該弁体６２に固着された感温部材としての感温伸縮体６３等を備えている。この実施の形態では、該感温伸縮体６３は、ワックスサーモである。
【００５４】
即ち、該感温伸縮体６３は、太筒状の本体６３ｂ内に細軸６３ｃを封挿したものであって、内部には感温材料が封入されている。この感温材料は高温流体に接触すると膨張し、低温流体に接触すると収縮する性質を有するものであり、周囲を流れる温水の温度が設定温度よりも高いと細軸６３ｃが本体６３ｂから圧出され、逆に設定温度よりも低いと、細軸６３が本体６３ｂ内に引っ込むようになっている。
【００５５】
感温伸縮体６３は、第６図の通り、本体６３ｂが弁体６２内に配置され、細軸６３ｃの先端部６３ａ側が、弁体６２の前記温度設定部Ｏ１側の端面の開口（符号略）を通って該弁体６２外に延出している。この細軸６３ｃの先端部６３ａは、前述の通り、温調スプール５５内のストッパカップ５７に当接している。この細軸６３ｃは、Ｅリング６３ｅによって弁体６２に固定されている。
【００５６】
第５，７図の符号６２ａはケーシング４１内に収容されているリターンスプリングである。このリターンスプリング６２ａは、一端が前記エンドプラグ６０に当接し、他端が、弁体６２内に設置されたバッフル部材６２ｂに当接している。即ち、このリターンスプリング６２ａは、該バッフル部材６２ｂを介して弁体６２を温度設定部Ｏ１側へ付勢している。温調スプール５５がケーシング４１の軸心線方向にシフトするときには、弁体６２がこのリターンスプリング６２ａによって温調スプール５５に押し付けられることにより、該弁体６２と温調スプール５５とが一体的にシフトする。
【００５７】
第５，７図の通り、ケーシング４１の内壁面には、該ケーシング４１の軸心線方向に間隔をおいて突壁４２，４３，４４が周設されている。該突壁４２，４３の内周面は、それぞれ、弁体６２の外周面に対し摺動可能に且つ水密的に接している。突壁４４の内側には、前記ガイド部材５９が水密的に嵌合している。これにより、前記エンドプラグ６０と突壁４２との間、突壁４２，４３同士の間及び突壁４２，４３同士の間にそれぞれ湯室Ｈ１、水室Ｌ１及び混合水室Ｍが画成されている。
【００５８】
ケーシング４１には、この湯室Ｈ１への湯の流入口（図示略）、水室Ｌ１への水の流入口（図示略）、及び混合水室Ｍからの混合水の流出口（符号略）が設けられている。図示は省略するが、この湯の流入口に前記給湯配管１が接続され、水の流入口に前記給水配管２が接続されている。第５，７図の通り、混合水室Ｍからの混合水の流出口には前記減圧弁付き高温遮断弁６への配管５が接続されている。
【００５９】
弁体６２のエンドプラグ６０側の端面と該エンドプラグ６０との間には、湯の通過用の隙間Ｈ２が設けられている。また、弁体６２の長手方向中央部には、突壁４３の側縁との間に水の通過用の隙間Ｌ２が設けられている。この隙間Ｌ２は、弁体６２の側面に設けられた開口Ｌ３を介して該弁体６２内のミキシングゾーン６２ｍに連通している。このミキシングゾーン６２ｍは開口６４を介して混合水室Ｍに連通している。
【００６０】
この湯水混合弁装置４においては、給湯配管１から湯室Ｈ１に温水が導入され、この温水は、該湯室Ｈ１から隙間Ｈ２を通ってミキシングゾーン６２ｍに流入する。また給水配管２から水室Ｌ１に常温の水が導入され、この水は該水室Ｌ１から隙間Ｌ２及び開口Ｌ３を通ってミキシングゾーン６２ｍに流入する。ミキシングゾーン６２ｍ内において、バッフル部材６２ｂによって水と湯とが十分に混合される。混合水は、感温伸縮体６３と接触した後、開口６４から混合水室Ｍ内に流れ込み、配管５に流入する。
【００６１】
温調ダイヤル５１を回転させることにより、温調スピンドル５３を介して温調スプール５５がケーシング４１の軸心線方向に進退し、これと一体的に弁体６２がケーシング４１の軸心線方向に移動する。これにより、湯通過用の隙間Ｈ２及び水通過用の隙間Ｌ２の幅がそれぞれ変化してミキシングゾーン６２ｍ内に流入する水と湯との割合が変化し、この結果、混合水の温度が変化する。温調ダイヤル５１の側周面には温度目盛りが設けられており、所望の温度の目盛りまで温調ダイヤル５１を回転させることにより、所望の温度の混合水を生成することができるようになっている。
【００６２】
この湯水混合弁装置４にあっては、ミキシングゾーン６２ｍ内の混合水の温度が温調ダイヤル５１による設定温度よりも低い場合には、感温伸縮体６３が、この温度差に対応する長さ分だけ縮短（ケーシング４１の軸心線方向に長さが短くなること。）する。この感温伸縮体６３の縮短に伴い、第７図のように、弁体６２が前記温度設定部Ｏ１側へシフトする。この結果、湯通過用の隙間Ｈ２の幅が大きくなると共に、水通過用の隙間Ｌ２の幅が小さくなり、ミキシングゾーン６２ｍ内への湯の流入量が増加して該ミキシングゾーン６２ｍ内の混合水の温度が上昇する。
【００６３】
また、ミキシングゾーン６２ｍ内の混合水の温度が温調ダイヤル５１による設定温度よりも高い場合には、感温伸縮体６３が、この温度差に対応する長さ分だけ伸長（ケーシング４１の軸心線方向に長さが長くなること。）する。この感温伸縮体６３の伸長に伴い、第５図のように、弁体６２が前記エンドプラグ６０側へシフトする。この結果、湯通過用の隙間Ｈ２の幅が小さくなると共に、水通過用の隙間Ｌ２の幅が大きくなり、ミキシングゾーン６２ｍ内への水の流入量が増加して該ミキシングゾーン６２ｍ内の混合水の温度が低下する。
【００６４】
このようにして、湯水混合弁装置４は、ミキシングゾーン６２ｍ内で生成される混合水が設定温度の温水となるように動作する。
【００６５】
この実施の形態では、前記透視部４ａは、第７図の通り、弁体６２が隙間Ｌ２を狭める方向へ移動し、該隙間Ｌ２の幅が所定幅よりも狭くなったときに、該弁体６２の前記開口Ｌ３がこの透視部４ａに露呈しうるように配置されている。
【００６６】
なお、この透視部４ａは、ケーシング４１の側面に、該ケーシング４１をその外周面から内周面まで貫通する孔を設け、この孔に透明樹脂やガラスなどの透明部材を封入することにより形成されている。ただし、透視部４ａの形成方法はこれに限定されない。
【００６７】
この実施の形態では、ミキシングゾーン６２ｍ内の混合水の温度が設定温度以上となっているときには、第５図のように、隙間Ｌ２の幅が前記所定幅以上となり、透視部４ａに開口Ｌ３が露呈しないようになっている。このとき、透視部４ａの全体に弁体６２の外周面が重なっており、該透視部４ａを通して弁体６２のみが視認される。
【００６８】
また、ミキシングゾーン６２ｍ内の混合水の温度が設定温度よりも低いときには、弁体６２は、隙間Ｌ２の幅が前記所定幅よりも小さくなるまで、該隙間Ｌ２の幅を小さくする方向へ移動する。これに伴い、徐々に弁体６２が透視部４ａから退避し、開口Ｌ３が該透視部４ａに露呈してくる。そして、第７図のように、隙間Ｌ２が閉鎖されるまで弁体６２が移動したときは、透視部４ａの全体に開口Ｌ３が重なった状態となり、これにより、透視部４ａを通して弁体６２が全く視認されなくなる。
【００６９】
即ち、この実施の形態では、透視部４ａを通して弁体６２のみが視認されるときには、ケーシング４１内の混合水の温度が設定温度以上となっており、透視部４ａを通して隙間Ｌ３が視認されるときには、ケーシング４１内の混合水温度が設定温度よりも低くなっていることを示している。
【００７０】
このように構成された湯水混合弁装置４を備えた温水洗浄装置の使用方法及び作動について説明する。
【００７１】
便器使用者の臀部を洗浄ノズル１０で洗浄する場合、まず便座ボックスＢの袖部Ｓ上面の操作パネルＰに露出した透視部４ａを目視し、この透視部４ａを通して湯水混合弁装置４の弁体６２が視認されるか確認する。
【００７２】
前述の通り、該湯水混合弁装置４のミキシングゾーン６２ｍ内の混合水の温度が、予め温調ダイヤル５１により設定された設定温度よりも低い場合には、透視部４ａを通して少なくとも部分的に隙間Ｌ３が視認される。この場合、洗浄ノズル１０による洗浄スイッチ７０（第８図）を操作する前に、捨て水弁装置３０の押釦３７を押して該捨て水弁装置３０の弁体３４を押し下げ、該捨て水弁装置３０を開弁させる。
【００７３】
このとき、第４図に示す通り、該捨て水弁装置３０の弁箱３１内の水の温度が前記バネ３５の形状記憶材料の変態温度よりも低い状態では、押釦３７を押し下げた後、この押釦３７への押圧力を解除しても、弁体３４の下側の該バネ３５は縮短したままとなっており、捨て水弁装置３０の開弁状態が継続する。
【００７４】
この捨て水弁装置３０が開弁することにより、配管１３を介してダイヤフラム弁２０の背圧室２４から水が流出するため、該背圧室２４内の水圧が主流路２７内の水圧よりも低くなり、この水圧差によりダイヤフラム弁体２６が弁座２５から離反し、該主流路２７内から流出口２２及び配管１２を通って水が便鉢へ排出される。また、このとき、該主流路２７内の水の一部は、小孔２６ａを通って背圧室２４に流入し、この背圧室２４から配管１３、捨て水弁装置３０、配管１４を経て配管１２へ流出する。
【００７５】
この捨て水に伴い、給湯配管１及び給水配管２から湯水混合弁装置４にそれぞれ湯と水とが供給され、ミキシングゾーン６２ｍ内で混合水が生成される。このミキシングゾーン６２ｍ内の混合水の温度が前記設定温度よりも低い状態では、その分だけ感温伸縮体６３が縮短して弁体６２が湯通過用の隙間Ｈ２を大きくするように位置している。これにより、ミキシングゾーン６２ｍへの湯の流入量が増加し、該ミキシングゾーン６２ｍ内の混合水の温度が上昇する。
【００７６】
そして、このケーシング４１内の混合水の温度が設定温度まで上昇すると、その分だけ感温伸縮体６３が伸長して弁体６２が水通過用の隙間Ｌ２を大きくする方向へ移動し、水のミキシングゾーン６２ｍへの流入量を適宜増加させる。これにより、該ミキシングゾーン６２ｍ内の混合水の温度が設定温度に保たれるようになる。
【００７７】
ミキシングゾーン６２ｍ内の混合水の温度が設定温度以上になると、前述の通り、透視部４ａを通して開口Ｌ３が視認されなくなり、弁体６２のみが視認されるようになる。これにより、該ミキシングゾーン６２ｍ内の混合水の温度が設定温度以上になったことが便器使用者に知得される。
【００７８】
この湯水混合弁装置４で生成された温水は、捨て水に伴って配管５へ供給される。
【００７９】
この温水は、配管５、減圧弁付き高温遮断弁６、配管７，１１、ダイヤフラム弁２０、配管１２の順に流れる。また、この温水の一部は、ダイヤフラム弁体２６の小孔２６ａから背圧室２４及び配管１３を通って捨て水弁装置３０の弁箱３１内にまで流れ込み、弁箱３１内の水温を上昇させる。そして、この弁箱３１内のバネ３５に接する水の温度が該バネ３５の形状記憶材料の変態温度以上になると、該バネ３５が伸長する。
【００８０】
このバネ３５の伸長により、弁体３４が上昇して弁箱３１の小径部３１ｂ内に係合し、捨て水弁装置３０が閉弁状態となる。この結果、ダイヤフラム弁２０の背圧室２７から捨て水弁装置３０への水の流出が停止するため、小孔２６ａを通って主流路２７から背圧室２４に流入する水によりダイヤフラム弁体２６が徐々に下降し、遂にはダイヤフラム弁体２６が弁座２５に着座してダイヤフラム弁２０も閉弁される。これにより、捨て水が停止する。
【００８１】
なお、小孔２６ａ、背圧室２４及び配管１３を介して弁箱３１内に伝達される温水の水圧によって弁体３４の上昇状態が保たれる。この状態は、次に押釦３７を押すまで継続する。
【００８２】
前記透視部４ａを通して弁体６２が視認されるようになった後、洗浄ノズル１０による洗浄スイッチ７０を操作する。このとき、湯水混合弁装置４からは設定温度の温水が供給されており、且つ温水洗浄装置の主流路内の捨て水は終了しているので、洗浄開始直後から設定温度の温水が便器使用者の臀部に噴出される。
【００８３】
以上のように、この湯水混合弁装置４を備えた温水洗浄装置にあっては、透視部４ａを通して該湯水混合弁装置４内の弁体６２の位置が視認され、これにより湯水混合弁装置４内の混合水の温度が設定温度以上であるか否かを知得することができるので、電気回路を用いることなく、該混合水の温度が設定温度以上であるか否かを知得することが可能である。
【００８４】
なお、上記実施の形態では、湯水混合弁装置４内の混合水の温度が設定温度以上のときには、弁体６２が透視部４ａに露呈しており、混合水の温度が設定温度よりも低くなったときには、弁体６２が透視部４ａから退避して隙間Ｌ３が透視部４ａに露呈してくるように透視部４ａが配置されているが、これとは逆に、混合水の温度が設定温度以上のときには、隙間Ｌ３が透視部４ａに露呈しており、混合水の温度が設定温度よりも低くなったときには隙間Ｌ３が透視部４ａから退避して弁体６２が透視部４ａに露呈するように透視部４ａを配置してもよい。
【００８５】
上記実施の形態では、透視部４ａを開口Ｌ３に臨むように配置しているが、この透視部４ａを湯室Ｈ１側の隙間Ｈ２に臨むように配置し、この隙間Ｈ２が透視部４ａに露呈しているか、あるいは弁体６２の該隙間Ｈ２側の端部が透視部４ａに露呈しているかを視認することにより、該弁体６２の位置、即ち湯水混合弁装置４内の混合水の温度が設定温度以上であるか否かを知得しうるように構成してもよい。
【００８６】
なお、透視部４ａは、上記以外の位置に配置されてもよい。
【００８７】
上記実施の形態では、湯水混合弁装置４は、感温部材としてワックスサーモを用いたタイプのものとなっているが、本発明においては、湯水混合弁装置は、ワックスサーモ以外の感温部材を用いたタイプのものであってもよい。以下に、第９，１０図を参照して、感温部材として形状記憶材料製バネを用いた湯水混合弁装置の構成例について説明する。
【００８８】
第９，１０図は感温部材として形状記憶材料製バネを用いた湯水混合弁装置の断面図であり、第９図は混合水の温度が設定温度以上となっている状態を示し、第１０図は混合水の温度が設定温度よりも低くなっている状態を示している。
【００８９】
この実施の形態の湯水混合弁装置４Ａは、筒状のバルブボディー８０内に水シート８４と湯シート８５とが設けられ、該バルブボディー８０の軸心線方向に進退可能な弁体８６が該水シート８４及び湯シート８５に接離可能とされ、該弁体８６を湯シート８５接近方向に付勢する感温バネ８８と、該弁体８６を水シート８４接近方向に付勢するバイアスバネ８９と、このバイアスバネ８９を進退させるための温調ダイヤル（図示略）とが設置されている。
【００９０】
該バルブボディー８０の側周面に水の流入口８１と湯の流入口８２とが設けられ、軸心線方向の一端側（第９，１０図の右端側）に混合水の流出口８３が設けられている。水の流入口８１は、湯の流入口８２よりも該一端側に位置している。これらの流入口８１，８２の間において、バルブボディー８０内周面を凹陥（拡径）させることにより、その内側を弁体８６が摺動するシート部８０ａが設けられている。このシート部８０ａの、水の流入口８１側の段差面が水シート８４となっており、湯の流入口８２側の段差面が湯シート８５となっている。
【００９１】
弁体８６は、バルブボディー８０の軸心上に位置する中央軸部８６Ｃと、該中央軸部８６Ｃに対しセンターフランジ８６Ｄを介して連結された筒部８６Ｅと、該筒部８６Ｅの外周に装着され、バルブボディー８０の内周面に水密的に摺接しているシールリング８７と、該センターフランジ８６Ｄに設けられた透口８６ｄとを有している。
【００９２】
この弁体８６は、形状記憶材料製の感温バネ８８によって湯シート８５側へ押圧可能とされ、非感温性の弾性材料よりなるバイアスバネ８９によって水シート８４側へ押圧可能とされている。このバイアスバネ８９をバルブボディー８０の軸心線方向に進退させるために、回転軸９０及び進退軸９１が配置されている。
【００９３】
回転軸９０の後端側の温調ダイヤル取付部９０ａは、バルブボディー８０の流出口８３と反対側の端面に設けられた軸挿通孔９２から該バルブボディー８０の外部に突出しており、この温調ダイヤル取付部９０ａに、温調ダイヤル（図示略）が固着される。この温調ダイヤル取付部９０ａのネック部分にＥリング９３が嵌着されることにより、回転軸９０はバルブボディー８０の軸心線方向に進退不能となっている。９４は、回転軸９０と軸挿通孔９２との間をシールしたＯリングを示す。
【００９４】
この回転軸９０の先端側は筒状となっており、その内周に雌ネジ９０ｂが設けられている。筒状の進退軸９１の後端側の外周に設けられた雄ネジ９１ｂが該雌ネジ９０ｂに螺合しており、回転軸９０の回転により進退軸９１がバルブボディー８０の軸心線方向に進退する。
【００９５】
弁体８６の外周には溝（符号略）が周設され、この溝には高摺動性のフッ素樹脂よりなる前記シールリング８７が装着されている。このシールリング８７がバルブボディー８０のシート部８０ａの内周面に水密的に摺接している。詳しい図示は省略するが、シールリング８７にはリングを斜めにカットする形状のスリットが設けられ、これによりシールリング８７は拡径及び縮経方向に弾性変形可能となっている。この弾性によってシールリング８７の外周面がシート部８０ａの内周面に弾性的に押し付けられている。
【００９６】
この湯水混合弁装置４Ａにおいては、温調ダイヤルを回すことにより、回転軸９０を介して進退軸９１がバルブボディー８０の軸心線方向に進退し、これによりバイアスバネ８９による弁体８６に対する付勢力が変更され、混合水の設定温度が変更される。
【００９７】
即ち、進退軸９１を弁体８６から離反方向へ退動させると、バイアスバネ８９による付勢力が低下するので、弁体８６は湯シート８５に接近すると共に水シート８４から離隔する。これにより、湯の流入量が減少すると共に水の流入量が増加し、設定温度が低下する。逆に、進退軸９１を弁体８６に対し接近方向へ前進させると、バイアスバネ８９による付勢力が増大し、弁体８６は湯シート８５から離隔すると共に水シート８４に接近する。これにより、湯の流入量が増加すると共に水の流入量が減少し、設定温度が高くなる。
【００９８】
この湯水混合弁装置４Ａにあっては、バルブボディー８０内の混合水の温度が温調ダイヤルによる設定温度よりも低い場合には、感温バネ８８が、この温度差に対応する長さ分だけ縮退（バルブボディー８０の軸心線方向に長さが短くなること。）する。この感温バネ８８の縮短に伴い、第１０図のように、弁体８６がバイアスバネ８９に押されて水シート８４側へシフトする。この結果、バルブボディー８０内への湯の流入量が増加して該バルブボディー８０内の混合水の温度が上昇する。
【００９９】
また、バルブボディー８０内の混合水の温度が温調ダイヤルによる設定温度よりも高い場合には、感温バネ８８が、この温度差に対応する長さ分だけ伸長（バルブボディー８０の軸心線方向に長さが長くなること。）する。この感温バネ８８の伸長に伴い、第９図のように、弁体８６がバイアスバネ８９からの付勢力に抗して湯シート８５側へシフトする。この結果、バルブボディー８０内への水の流入量が増加して該バルブボディー８０内の混合水の温度が低下する。
【０１００】
このようにして、湯水混合弁装置４Ａは、バルブボディー８０内で生成される混合水が設定温度の温水となるように動作する。
【０１０１】
この実施の形態では、透視部４ａ’は、第９図の通り、弁体８６が水シート８４側へ移動し、該弁体８６と水シート８４との間隔が所定幅よりも狭くなったときに、該弁体８６の水シート８４側の端部がこの透視部４ａ’に露呈しうるように配置されている。
【０１０２】
この実施の形態では、バルブボディー８０内の混合水の温度が設定温度以上となっているときには、第９図のように、弁体８６と水シート８４との間隔が前記所定幅以上となり、透視部４ａ’に弁体８６が露呈しないようになっている。そして、バルブボディー８０内の混合水の温度が設定温度よりも低くなると、弁体８６は、該弁体８６と水シート８４との間隔が前記所定幅よりも小さくなるまで該水シート８４側へ移動し、該弁体８６が透視部４ａ’に露呈するようになる。
【０１０３】
即ち、この実施の形態では、透視部４ａ’を通して弁体８６が視認されないときには、バルブボディー８０内の混合水の温度が設定温度以上となっており、透視部４ａ’を通して弁体８６が視認されるときには、バルブボディー８０内の混合水温度が設定温度よりも低くなっていることを示している。
【０１０４】
このように構成された湯水混合弁装置４Ａにあっても、透視部４ａ’を通して該湯水混合弁装置４Ａ内の弁体８６の位置が視認され、これにより湯水混合弁装置４Ａ内の混合水の温度が設定温度以上であるか否かを知得することができるので、電気回路を用いることなく、該混合水の温度が設定温度以上であるか否かを知得することが可能である。
【０１０５】
なお、上記実施の形態では、湯水混合弁装置４Ａ内の混合水の温度が設定温度以上のときには弁体８６が透視部４ａ’から退避しており、混合水の温度が設定温度よりも低くなったときには弁体８６が透視部４ａ’に露呈するように透視部４ａ’が配置されているが、これとは逆に、混合水の温度が設定温度以上のときには弁体８６が透視部４ａ’に露呈しており、混合水の温度が設定温度よりも低くなったときには弁体８６が透視部４ａ’から退避するように、透視部４ａ’を湯シート８５側に配置してもよい。
【０１０６】
なお、湯水混合弁装置内は暗く、且つ弁体の移動量はごく僅かであるため、透視部からこの弁体の位置を視認しにくい場合がある。そこで、本発明では、第１１図のように、透視部に凸レンズを設け、この弁体の位置を拡大して視認しうるように構成してもよい。
【０１０７】
第１１図の実施の形態は、第５〜７図の湯水混合弁装置４において、このように透視部に凸レンズを設けた構成を示している。
【０１０８】
この第１１図の実施の形態においては、透視部４ａ’’は、ケーシング４１の側面に、該ケーシング４１をその外周面から内周面まで貫通し、且つ該外周面側ほど大径となる擂鉢形の孔１００を設け、この孔１００に凸レンズ１０１を嵌め込むことにより形成されている。
【０１０９】
このように透視部４ａ’’に凸レンズ１０１を設けたことにより、この凸レンズ１０１を通して弁体６２の位置を拡大して見ることができるため、該弁体６２の位置を容易に視認することができる。
【０１１０】
なお、第９，１０図の湯水混合弁装置４Ａにおいても、透視部４ａ’に凸レンズを設けた構成としてもよい。
【０１１１】
上記の各実施の形態では、透視部に弁体が露呈するか又は弁体が透視部から退避することによって該弁体の位置を視認するように構成されているが、第１２図のように、弁体の位置を表示する表示部を設け、この表示部が透視部に露呈するか又はこの表示部が透視部から退避することによって弁体の位置を視認しうるよう構成してもよい。
【０１１２】
第１２図の実施の形態は、第５〜７図の湯水混合弁装置４において、弁体６２に、該弁体６２の位置を視認させるための表示部を設けた構成例を示している。なお、この第１２図の実施の形態では、弁体６２の位置を視認するための透視部として、第１１図の実施の形態と同様、凸レンズ１０１が設けられた透視部４ａ’’が設けられている。
【０１１３】
この第１２図の実施の形態においては、弁体６２の外周面に、高温表示部としての赤色（暖色）面１０２と、低温表示部としての青色（寒色）面１０３とが互いに隣接して設けられている。この赤色面１０２及び青色面１０３の形成方法に特に制限はないが、例えば、弁体６２の外周面に印刷や塗装を施したり、シール等を貼り付けたり、あるいは弁体６２を成形する際に多色成形を行うことなどが挙げられる。なお、この実施の形態では、該赤色面１０２及び青色面１０３はそれぞれ弁体６２の全周にわたって設けられているが、該弁体６２の周方向において部分的に設けられていてもよい。
【０１１４】
該赤色面１０２は、青色面１０３よりも湯通過用の隙間Ｈ２側に配置され、青色面１０３は、赤色面１０２よりも水通過用の隙間Ｌ２側に配置されている。
【０１１５】
この実施の形態では、ケーシング４１内の混合水の温度が設定温度以上となっているときには、弁体６２が水通過用の隙間Ｌ２の幅を大きくするように第１２図の左側へ移動しており、透視部４ａ’’に赤色面１０２が露呈している。また、ケーシング４１内の混合水の温度が設定温度よりも低いときには、弁体６２が湯通過用の隙間Ｈ２の幅を大きくするように第１２図の右側に移動し、これにより、透視部４ａ’’に青色面１０３が露呈するようになる。
【０１１６】
この第１１図の実施の形態のその他の構成は、第５〜７図と同様である。
【０１１７】
この実施の形態にあっても、透視部４ａ’’に赤色面１０２が露呈しているか青色面１０３が露呈しているかを視認することにより、ケーシング４１内の混合水の温度が設定温度以上であるか否かを知得することができるので、電気回路を用いることなく、該混合水の温度が設定温度以上であるか否かを知得することが可能である。
【０１１８】
なお、上記実施の形態では、高温表示部としての赤色面１０２と低温表示部としての青色面１０３の両方を設けているが、本発明においては、高温表示部としての赤色面１０２のみを設け、赤色面１０２が透視部４ａ’’に露呈しているか退避しているかによってケーシング４１内の混合水の温度が設定温度よりも高いか低いかを識別しうるように構成してもよい。あるいは、低温表示部としての青色面１０３のみを設け、青色面１０３が透視部４ａ’’に露呈しているか退避しているかによってケーシング４１内の混合水の温度が設定温度よりも低いか高いかを識別しうるように構成してもよい。
【０１１９】
赤色面１０２と青色面１０３との間に、黄色面などの中間色面を設けて表示面をグラデーションにしてもよい。
【０１２０】
高温表示部及び低温表示部としては、ＨＯＴ及びＣＯＬＤ等の文字や、記号などが設けられてもよい。
【０１２１】
上記の各実施の形態はいずれも本発明の一例を示すものであり、本発明は上記の各実施の形態に限定されない。例えば、本発明の湯水混合弁装置は、図示の構成に限定されない。
【０１２２】
上記の各実施の形態では、温水洗浄装置は、ダイヤフラム弁２０と、該ダイヤフラム弁２０の背圧室２４の下流側に設けられた、温水源からの水の温度に応じて捨て水動作する捨て水弁装置３０とを備えているが、本発明においては、温水洗浄装置は、ダイヤフラム弁２０が省略されると共に、捨て水弁装置として、手動ハンドルにて開閉される捨て水弁バルブが設けられ、便器使用者がこの手動ハンドルを操作することにより捨て水が行なわれるように構成されてもよい。
【０１２３】
上記の各実施の形態では、湯水混合弁装置に、温調ダイヤルにより混合水の温度を任意に設定可能な温度設定部が設けられているが、本発明の湯水混合弁装置は、温度設定部（温調ダイヤル）が省略され、生成される混合水の温度が一定温度に固定された構成であってもよい。
【図面の簡単な説明】
【０１２４】
【図１】実施の形態に係る湯水混合弁装置を備えた温水洗浄装置の系統図である。
【図２】ダイヤフラム弁の断面図である。
【図３】捨て水弁装置の断面図である。
【図４】捨て水弁装置の断面図である。
【図５】湯水混合弁装置の断面図である。
【図６】湯水混合弁装置の断面図である。
【図７】湯水混合弁装置の断面図である。
【図８】温水洗浄装置を備えた洋風便器の斜視図である。
【図９】感温部材として形状記憶材料製を用いた湯水混合弁装置の断面図である。
【図１０】感温部材として形状記憶材料製を用いた湯水混合弁装置の断面図である。
【図１１】透視部の別の構成例を示す斜視図である。
【図１２】湯水混合弁装置の弁体位置の表示方法の別の一例を示す部分透視斜視図である。
【符号の説明】
【０１２５】
４，４Ａ  サーモスタット湯水混合弁装置
４ａ，４ａ’，４ａ’’  透視部
６  減圧弁付き高温遮断弁
８  流量調節弁
１０  洗浄ノズル
２０  ダイヤフラム弁
３０  捨て水弁装置
３１  弁箱
３２  流入口
３３  流出口
３４  弁体
３５  形状記憶材料製バネ
３７  押釦
６２，８６  弁体
６３  感温伸縮体
８８  形状記憶材料製感温バネ
【図１】
2009092117.tif 000003
【図２】
2009092117.tif 000004
【図３】
2009092117.tif 000005
【図４】
2009092117.tif 000006
【図５】
2009092117.tif 000007
【図６】
2009092117.tif 000008
【図７】
2009092117.tif 000009
【図８】
2009092117.tif 000010
【図９】
2009092117.tif 000011
【図１０】
2009092117.tif 000012
【図１１】
2009092117.tif 000013
【図１２】
2009092117.tif 000014